(57)【要約】【課題】  一方の手をハンドベルトに差し込んだまま、他方の手で一点保持（ハンドストラップ状態）と二点保持（グリップベルト状態）の切り換えを行っても、落下する恐れがないハンドベルトを備える携帯端末を提供する。【解決手段】  ハンドベルト２の略へ字形状部２ａの上部内面には、マジックテープ２ａ１が固定され、略Ｕ字形状部２ｂの一方側の外面には、マジックテープ２ｂ１が固定されている。ハンドベルトのベロ部３の一端部は、略Ｕ字形状部の中間部に連結され、他端部の外面には、マジックテープ３ａが固定され、内面には、マジックテープ３ｂが固定されている。（Ａ）は、ハンドベルトのベロ部をリング状の第１本体金具４に矢印方向に通した後の状態を示す。ハンドベルトのベロ部を第１本体金具から外す場合には、まず、マジックテープ３ａ，３ｂをそれぞれマジックテープ２ａ１，２ｂ１から離脱し、次に、ハンドベルトのベロ部を第１本体金具から矢印方向と逆方向に抜出する。【選択図】  図２
2006307918.tif 000002
【特許請求の範囲】
【請求項１】
ハンドベルトを備える携帯端末において、
前記ハンドベルトは、略へ字形状部と略Ｕ字形状部とから構成され、前記略へ字形状部は内面にマジックテープ（登録商標  以下同様とする。）を有し、前記略Ｕ字形状部は一方側の外面にマジックテープを有し、
前記略Ｕ字形状部の他方側の外面にハンドベルトのベロ部の一端部が連結され、前記ハンドベルトのベロ部の他端部は内外両面にマジックテープを有し、
前記略へ字形状部のマジックテープは前記ハンドベルトのベロ部の外面のマジックテープと、前記略Ｕ字形状部のマジックテープは前記ハンドベルトのベロ部の内面のマジックテープと、それぞれ接合離脱可能であり、
前記ハンドベルトの一端部は、前記携帯端末に取付けられ、
前記ハンドベルトのベロ部は前記携帯端末に取付けられているリング状部材に挿入抜出可能に通されることを特徴とするハンドベルトを備える携帯端末。
【請求項２】
前記略へ字形状部のマジックテープと前記略Ｕ字形状部のマジックテープに対する前記ハンドベルトのベロ部の両マジックテープの各接合位置を変えることができることを特徴とする請求項１記載のハンドベルトを備える携帯端末。
【請求項３】
ハンドベルトを備える携帯端末において、
前記ハンドベルトは、略へ字形状部と略Ｕ字形状部とから構成され、前記略へ字形状部は内面にマジックテープを有し、前記略Ｕ字形状部は一方側の外面にマジックテープを有し、前記両マジックテープは接合離脱可能であり、
前記略Ｕ字形状部の外面にハンドベルトのベロ部の両端部が連結され、前記ハンドベルトのベロ部の中間部は弾性変形可能な部材に保持され、
前記ハンドベルトの一端部は、前記携帯端末に取付けられ、
前記弾性変形可能な部材は前記携帯端末に取付けられているリング状部材に対して弾性変形することによりワンタッチで係合離脱可能であることを特徴とするハンドベルトを備える携帯端末。
【請求項４】
前記弾性変形可能な部材は、平坦な中央部と、前記中央部の一方側に連続する弾性変形可能な略Ｕ字形状部と、前記略Ｕ字形状部の先端に連続するフック部と、前記中央部の他方側の先端から直交する方向に連続し、かつ、前記ハンドベルトのベロ部が挿通する穴を有する保持部とから構成され、前記リング状部材は円環体から構成されることを特徴とする請求項３記載のハンドベルトを備える携帯端末。
【請求項５】
前記リング状部材は中間部材にリンクされ、前記中間部材が前記携帯端末に取付けられていることを特徴とする請求項１又は３記載のハンドベルトを備える携帯端末。
【請求項６】
前記ハンドベルトの一端部は中間部材にリンクされ、前記中間部材が前記携帯端末に取付けられていることを特徴とする請求項１又は３記載のハンドベルトを備える携帯端末。
【発明の詳細な説明】
【技術分野】
【０００１】
本発明は、ハンドベルトを備える携帯端末に関し、詳しく述べると、一方の手をハンドベルトに差し込んだまま、他方の手で一点保持（ハンドストラップ状態）と二点保持（グリップベルト状態）の切り換えが可能なハンドベルトを備える携帯端末に関する。
【背景技術】
【０００２】
従来のグリップベルト兼ハンドストラップ装置について説明する（例えば、特許文献１参照。）。
【０００３】
図８と図９に示されるように、グリップベルト本体２１の第２の端部２４は、ビデオカメラ本体２２に対してビス等で固定され、第１の端部２３は、予め突起部２６に係合されている挿通部２５に設けられた開口に挿入されている。グリップベルト本体２１の第１の面ファスナー（「マジックテープ」とも呼称される。）２７を矢印Ａのように、グリップベルト本体２１の第２の面ファスナー２８に添着（「接合」ともいわれる。）することにより、グリップベルト本体２１は、挿通部２５から脱落することなく保持されている。このような状態は、グリップベルト状態といわれる。ビデオカメラ本体２２は、グリップベルト本体２１により図１１の矢印Ｄの方向に保持されている。挿通部２５は、ビデオカメラ本体２２に固定されている突起部２６に矢印Ｄと垂直な矢印Ｅの方向に移動可能に係合保持され、グリップベルト本体２１から矢印Ｄの方向の力を作用されても突起部２６から外れない。
【０００４】
なお、グリップベルト本体２１は、図８に示される状態において、使用者の手の大きさに合った長さに設定される。すなわち、第１の面ファスナー２７と第２の面ファスナー２８を離間して、グリップベルト本体２１を挿通部２５の開口内で矢印Ｍ方向に移動して任意の長さに設定し、再度両ファスナー２７，２８を添着する。
【０００５】
この装置をグリップベルト状態からハンドストラップ状態へ移行する際の動作について説明する。
【０００６】
図１１に示されるグリップベルト状態から、図９と図１２の各矢印Ｂの方向に、挿通部２５と突起部２６との係合を解除して離間する。図１３〜図１５にその動作を示す。
【０００７】
まず、図１３の係合状態（グリップベルト状態）では、突起部２６の平面部２６ａに設けられているロック溝２９と、挿通部２５の係合穴２５ａに設けられているロック爪３０とが、係合している。この状態から、挿通部２５の操作部２５ｂを矢印Ｎ方向に押圧し、図１４の矢印Ｆに示されるように回転させる。
【０００８】
ロック溝２９とロック爪３０との係合が解除可能な状態まで操作部２５ｂを回転させた後、挿通部２５を矢印Ｏ方向へ移動させることにより、図１４に示されるように、ロック溝２９とロック爪３０との係合が完全に解除される。更に、挿通部２５を矢印Ｏ方向へ移動させ、突起部２６を係合穴２５ａから抜出することにより、図１５に示されるように、突起部２６と挿通部２５との係合が完全に解除される。その係合解除状態は、図９と図１２に示される。
【０００９】
次に、突起部２６と挿通部２５との係合が解除されると、図１０に示されるように、グリップベルト本体２１は矢印Ｃ方向へ自由に移動することができる。挿通部２５が突起部２６から抜去されると、グリップベルト本体２１は図１０の第２の端部２４のみで固定される状態となり、この状態でグリップベルト本体２１にループ部を作り、このループ部に使用者の手を通すことによりハンドストラップとして使用することができる。
【００１０】
更に、この装置をハンドストラップ状態からグリップベルト状態へ移行する際の動作について説明する。
【００１１】
まず、図１０に示されるハンドストラップ状態から、挿通部２５を矢印Ｐ方向へ突起部２６の近傍まで移動させる。そして、図９と図１２に示されるように、挿通部２５の係合穴２５ａと突起部２６の先端とを対向させ、挿通部２５を矢印Ｑの方向へ移動させる。以後の係合動作を図１５〜図１３に示す。
【００１２】
次に、図１５に示されるように、突起部２６と挿通部２５とが離間した状態から、挿通部２５を矢印Ｑの方向へ移動させ、係合穴２５ａに突起部２６を挿入する。挿入の途中で、突起部２６の先端が係合穴２５ａ内に設けられているロック爪３０に当接し、更に、突起部２６を挿入すると、図１４に示されるように、突起部２６の先端がロック爪３０を押圧するので、操作部２５ｂが矢印Ｆの方向へ回転する。
【００１３】
図１４に示される状態から更に突起部２６を挿入すると、図１３と図１１に示されるように、ロック溝２９とロック爪３０とが係合し、操作部２５ｂが回転状態から元の状態に復帰する。この結果、突起部２６と挿通部２５の係合が完了し、本装置はグリップベルト状態になる。
【００１４】
【特許文献１】特開２００４−２３００９４号公報（第５頁第１０行〜第６頁第２９行、図１〜図８）
【発明の開示】
【発明が解決しようとする課題】
【００１５】
前記従来のグリップベルト兼ハンドストラップ装置では、一方の手で同装置を二点保持（グリップベルト状態）している場合、他方の手で挿通部２５と突起部２６との係合を解除するとき、同装置が落下する恐れがある。また、挿通部２５と突起部２６との係合離脱操作は、単純な直線動作のみならず、挿通部２５の回転を必要とする。更に、一点保持（ハンドストラップ状態）の場合、挿通部２５は、グリップベルト本体２１と一体に保持されざるを得ない。
【００１６】
そこで、本発明は、前記従来の技術の欠点を改良し、下記の課題を解決するハンドベルトを備える携帯端末を提供しようとするものである。
【００１７】
１．一方の手をハンドベルトに差し込んだまま、他方の手で一点保持と二点保持の切り換えを行っても、携帯端末を落下する恐れがないこと。
【００１８】
２．単純な操作により、一点保持と二点保持の切り換えを行うことができること。
【００１９】
３．一点保持と二点保持の切り換えの際、運動する部材が少ないこと。
【課題を解決するための手段】
【００２０】
本発明は、前記課題を解決するため、次の手段を採用する。
【００２１】
１．ハンドベルトを備える携帯端末において、前記ハンドベルトは、略へ字形状部と略Ｕ字形状部とから構成され、前記略へ字形状部は内面にマジックテープを有し、前記略Ｕ字形状部は一方側の外面にマジックテープを有し、前記略Ｕ字形状部の他方側の外面にハンドベルトのベロ部の一端部が連結され、前記ハンドベルトのベロ部の他端部は内外両面にマジックテープを有し、前記略へ字形状部のマジックテープは前記ハンドベルトのベロ部の外面のマジックテープと、前記略Ｕ字形状部のマジックテープは前記ハンドベルトのベロ部の内面のマジックテープと、それぞれ接合離脱可能であり、前記ハンドベルトの一端部は、前記携帯端末に取付けられ、前記ハンドベルトのベロ部は前記携帯端末に取付けられているリング状部材に挿入抜出可能に通されるハンドベルトを備える携帯端末。
【００２２】
２．前記略へ字形状部のマジックテープと前記略Ｕ字形状部のマジックテープに対する前記ハンドベルトのベロ部の両マジックテープの各接合位置を変えることができる前記１記載のハンドベルトを備える携帯端末。
【００２３】
３．ハンドベルトを備える携帯端末において、前記ハンドベルトは、略へ字形状部と略Ｕ字形状部とから構成され、前記略へ字形状部は内面にマジックテープを有し、前記略Ｕ字形状部は一方側の外面にマジックテープを有し、前記両マジックテープは接合離脱可能であり、前記略Ｕ字形状部の外面にハンドベルトのベロ部の両端部が連結され、前記ハンドベルトのベロ部の中間部は弾性変形可能な部材に保持され、前記ハンドベルトの一端部は、前記携帯端末に取付けられ、前記弾性変形可能な部材は前記携帯端末に取付けられているリング状部材に対して弾性変形することによりワンタッチで係合離脱可能であるハンドベルトを備える携帯端末。
【００２４】
４．前記弾性変形可能な部材は、平坦な中央部と、前記中央部の一方側に連続する弾性変形可能な略Ｕ字形状部と、前記略Ｕ字形状部の先端に連続するフック部と、前記中央部の他方側の先端から直交する方向に連続し、かつ、前記ハンドベルトのベロ部が挿通する穴を有する保持部とから構成され、前記リング状部材は円環体から構成される前記３記載のハンドベルトを備える携帯端末。
【００２５】
５．前記リング状部材は中間部材にリンクされ、前記中間部材が前記携帯端末に取付けられている前記１又は３記載のハンドベルトを備える携帯端末。
【００２６】
６．前記ハンドベルトの一端部は中間部材にリンクされ、前記中間部材が前記携帯端末に取付けられている前記１又は３記載のハンドベルトを備える携帯端末。
【発明の効果】
【００２７】
明細書の説明から明らかなように、本発明は、次の効果を奏する。
【００２８】
１．一方の手をハンドベルトに差し込んだまま、他方の手で一点保持と二点保持の切り換えを行っても、携帯端末を落下する恐れがないので、安全である。
【００２９】
２．ハンドベルトのベロ部をリング状部材に対して挿入抜出すること、又は、弾性変形可能な部材をリング状部材に対して係合離脱することにより、一点保持と二点保持の切り換えを行うことができるので、操作が単純である。
【００３０】
３．一点保持と二点保持の切り換えの際、ハンドベルトのベロ部、又は、弾性変形可能な部材のみを運動させれば足りるから、運動する部材が少ないので、便利である。
【発明を実施するための最良の形態】
【００３１】
本発明の２つのハンドベルトを備える携帯端末について説明する。
【実施例１】
【００３２】
本発明の実施例１について図１〜図５を参照して説明する。
【００３３】
図１は、携帯端末１を使用者が左手により二点保持した状態の諸図であり、（Ａ）は概略正面図、（Ｂ）は概略背面図、（Ｃ）は、ハンドベルトのベロ部３、第１本体金具４及び第２本体金具５の関連構造の拡大詳細図、（Ｄ）は、ハンドベルト２、ハンドベルト金具７及び第３本体金具８の関連構造の拡大詳細図を、それぞれ示す。
【００３４】
図２は、携帯端末１を使用者が二点保持した状態の諸断面図であり、（Ａ）は、側面側から見た概略断面図、（Ｂ）は、ハンドベルトのベロ部３、第１本体金具４、第２本体金具５及び第１本体キャップ６の関連構造の拡大詳細図、（Ｃ）は、ハンドベルト２、ハンドベルト金具７、第３本体金具８及び第２本体キャップ９の関連構造の拡大詳細図を、それぞれ示す。
【００３５】
ハンドベルト２は、略へ字形状部２ａと略Ｕ字形状部２ｂとが連結されることにより構成される。略Ｕ字形状部２ｂの中間部には、ハンドベルトのベロ部３の一端部が連結されている。
【００３６】
略へ字形状部２ａの上部内面には、マジックテープ２ａ１が固定され、略Ｕ字形状部２ｂの一方側の外面には、マジックテープ２ｂ１が固定されている。ハンドベルトのベロ部３の他端部の外面には、マジックテープ３ａが固定され、内面には、マジックテープ３ｂが固定されている。図２（Ａ）に示される状態では、マジックテープ２ａ１の上部とマジックテープ３ａとは接合され、マジックテープ２ｂ１の上部とマジックテープ３ｂとは接合され、マジックテープ２ａ１の下部とマジックテープ２ｂ１の下部とは接合されている。
【００３７】
図２（Ａ）は、ハンドベルトのベロ部３をリング状の第１本体金具４に矢印方向に通した後の状態を示す。ハンドベルトのベロ部３を第１本体金具４から外す場合には、まず、マジックテープ３ａ，３ｂをそれぞれマジックテープ２ａ１，２ｂ１の上部から離脱し、次に、ハンドベルトのベロ部３を第１本体金具４から矢印方向と逆方向に抜出する。
【００３８】
図２（Ｂ）に示されるように、リング状の第１本体金具４は、略Ｕ字形状係合部５ａを有する第２本体金具５にリンクされ、第２本体金具５は、第１本体キャップ６により被覆されて携帯端末１に取付けられている。
【００３９】
図２（Ｃ）に示されるように、ハンドベルト２の略へ字形状部２ａの下部に形成されている略Ｕ字形状係合部２ａ１には、リング状のハンドベルト金具７がリンクされ、ハンドベルト金具７は、略Ｕ字形状係合部８ａを有する第３本体金具８にリンクされ、第３本体金具８は、第２本体キャップ９により被覆されて携帯端末１に取付けられている。
【００４０】
図３は、携帯端末１を使用者が左手により一点保持した状態の諸図であり、（Ａ）は、概略正面図、（Ｂ）は、概略背面図、（Ｃ）は、第１本体金具４及び第２本体金具５の関連構造の拡大詳細図、（Ｄ）は、ハンドベルト２、ハンドベルト金具７及び第３本体金具８の関連構造の拡大詳細図を、それぞれ示す。
【００４１】
図４は、携帯端末１を使用者が一点保持した状態の断面図であり、（Ａ）は、側面側から見た概略断面図、（Ｂ）は、第１本体金具４、第２本体金具５及び第１本体キャップ６の関連構造の拡大詳細図を、それぞれ示す。
【００４２】
この状態では、いうまでもなく図２の状態とは異なり、ハンドベルトのベロ部３は、第１本体金具４を通っていない。
【００４３】
図５は、ハンドベルトのベロ部３のマジックテープ３ａ，３ｂがそれぞれハンドベルト２のマジックテープ２ａ１，２ｂ１から離脱し、しかも、マジックテープ２ａ１がマジックテープ２ｂ１から矢印方向に一部開かれている状態を示す。この状態でも、ハンドベルト２は、マジックテープ２ａ１とマジックテープ２ｂ１のそれぞれ開かれていない面（すなわち、左側の面と下側の面）により接合を維持されている。
【００４４】
略へ字形状部２ａのマジックテープ２ａ１と略Ｕ字形状部２ｂのマジックテープ２ｂ１に対するハンドベルトのベロ部３の両マジックテープ３ａ，３ｂの各接合位置を変えると、二点保持の場合のハンドベルトのベロ部３の有効長を調整することができる。
【実施例２】
【００４５】
本発明の実施例２について図６と図７を参照して説明する。実施例２については、実施例１と同様な点の説明を省略し、相違する点の説明を行う。
【００４６】
実施例１では、ハンドベルトのベロ部３を第１本体金具４に通すのに対して、実施例２では、ハンドベルトのベロ部３にベロ部の金具１０を取り付け、ベロ部の金具１０をワンタッチで弾性変形により円環体の第１本体金具４に装着する（詳細は後述する。）。また、実施例１では、ハンドベルトのベロ部３の他端部は、マジックテープ３ａ，３ｂを有するのに対して、実施例２では、ハンドベルトのベロ部３の他端部は、マジックテープを有せずに、両端部ともにハンドベルト２の略Ｕ字形状部２ｂに固定されている。
【００４７】
一方、ベロ部の金具１０は、図６（Ｂ）に示されるように、平坦な中央部１０ａと、中央部１０ａの一方側に連続する弾性変形可能な略Ｕ字形状部１０ｂと、略Ｕ字形状部１０ｂの先端に連続するフック部１０ｃと、中央部１０ａの他方側の先端から直交する方向に連続し、かつ、ハンドベルトのベロ部３が挿通する穴１０ｄ１を有する保持部１０ｄとから一体に構成される。
【００４８】
図６と図７は、携帯端末１を使用者が左手により二点保持した状態を示すが、まず、二点保持から一点保持への切り換えについて説明する。
【００４９】
図６（Ａ）に示される状態において、使用者の右手指によりベロ部の金具１０を矢印の左上方向に移動すると、フック部１０ｃの先端が円環体（ドーナツ型）の第１本体金具４の円環面にガイドされるので、フック部１０ｃは略Ｕ字形状部１０ｂの弾性変形により図６（Ｂ）の矢印方向に移動する。したがって、ベロ部の金具１０は、第１本体金具４から離脱する。この結果、携帯端末１は一点保持に切り換わる。
【００５０】
次に、一点保持から二点保持への切り換えについて説明する。前述とは逆に、使用者の右手指により第１本体金具４よりも図６（Ａ）において左上に位置するベロ部の金具１０を矢印の右下方向に移動する。すると、まず、フック部１０ｃの先端が第１本体金具４の円環面にガイドされるので、フック部１０ｃは略Ｕ字形状部１０ｂの弾性変形により図６（Ｂ）の矢印方向に移動する。続いて、フック部１０ｃは、略Ｕ字形状部１０ｂの復元力により図６（Ａ），（Ｂ）に示される位置まで復元する。したがって、ベロ部の金具１０は、第１本体金具４に係合する。この結果、携帯端末１は、二点保持に切り換わる。
【図面の簡単な説明】
【００５１】
【図１】本発明の実施例１のハンドベルトを備える携帯端末を使用者が左手により二点保持した状態の諸図であり、（Ａ）は概略正面図、（Ｂ）は概略背面図、（Ｃ）は上点の要部の拡大詳細図、（Ｄ）は下点の要部の拡大詳細図を、それぞれ示す。
【図２】同状態の諸断面図であり、（Ａ）は側面側から見た概略断面図、（Ｂ）は上点の要部の拡大詳細図、（Ｃ）は下点の要部の拡大詳細図を、それぞれ示す。
【図３】同携帯端末を一点保持した状態の諸図であり、（Ａ）は概略正面図、（Ｂ）は概略背面図、（Ｃ）は上点の要部の拡大詳細図、（Ｄ）は下点の要部の拡大詳細図を、それぞれ示す。
【図４】同状態の断面図であり、（Ａ）は側面側から見た概略断面図、（Ｂ）は上点の要部の拡大詳細図を、それぞれ示す。
【図５】同携帯端末を二点保持から一点保持に切り換える途中の状態の背面図であり、（Ａ）は概略図、（Ｂ）は上点の要部の拡大詳細図を、それぞれ示す。
【図６】本発明の実施例２のハンドベルトを備える携帯端末を使用者が左手により二点保持した状態の断面図であり、（Ａ）は側面側から見た概略図、（Ｂ）は上点の要部の拡大詳細図を、それぞれ示す。
【図７】同状態の背面図であり、（Ａ）は概略図、（Ｂ）は上点の要部の拡大詳細図を、それぞれ示す。
【図８】従来のグリップベルト兼ハンドストラップ装置をグリップベルト状態（二点保持）で使用する場合の背面側から見た斜視図である。
【図９】同装置において、挿通部と突起部との係合が解除された状態の背面側から見た斜視図である。
【図１０】同装置をハンドストラップ状態（一点保持）で使用する場合の背面側から見た斜視図である。
【図１１】（Ａ）は同装置をグリップベルト状態で使用する場合の背面図、（Ｂ）は（Ａ）における線ア−アによる断面図を、それぞれ示す。
【図１２】（Ａ）は同装置において、挿通部と突起部との係合が解除された状態の背面図、（Ｂ）は（Ａ）における線イ−イによる断面図を、それぞれ示す。
【図１３】同装置における挿通部と突起部との係合状態の拡大断面図である。
【図１４】同装置における挿通部と突起部との係合状態と非係合状態との中間状態の拡大断面図である。
【図１５】同装置における挿通部と突起部との非係合状態の拡大断面図である。
【符号の説明】
【００５２】
１  携帯端末
２  ハンドベルト
２ａ  略へ字形状部
２ａ１  マジックテープ
２ｂ  略Ｕ字形状部
２ｂ１  マジックテープ
３  ハンドベルトのベロ部
３ａ  マジックテープ
３ｂ  マジックテープ
４  第１本体金具
５  第２本体金具
５ａ  略Ｕ字形状係合部
６  第１本体キャップ
７  ハンドベルト金具
８  第３本体金具
８ａ  略Ｕ字形状係合部
９  第２本体キャップ
１０  ベロ部の金具
１０ａ  中央部
１０ｂ  略Ｕ字形状部
１０ｃ  フック部
１０ｄ  保持部
１０ｄ１  穴
【図１】
2006307918.tif 000003
【図２】
2006307918.tif 000004
【図３】
2006307918.tif 000005
【図４】
2006307918.tif 000006
【図５】
2006307918.tif 000007
【図６】
2006307918.tif 000008
【図７】
2006307918.tif 000009
【図８】
2006307918.tif 000010
【図９】
2006307918.tif 000011
【図１０】
2006307918.tif 000012
【図１１】
2006307918.tif 000013
【図１２】
2006307918.tif 000014
【図１３】
2006307918.tif 000015
【図１４】
2006307918.tif 000016
【図１５】
2006307918.tif 000017